Podtech/llm-jp-corpus-v4-ja_patent huggingface dataset:
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域が形成された遊技盤と、前記遊技領域内に配置される始動口と、前記遊技領域内のほぼ中央に配置され、且つ、種々の演出画像を表示する演出表示装置が組み付けられた中央役物と、を備える遊技機であって、
前記中央役物は、少なくとも、
大入賞口が設けられた大入賞口開閉装置と、
前記大入賞口に入球した遊技球が流通可能とされ、且つ、前記遊技領域と分離区画された視認可能な遊技球演出空間と、
前記大入賞口に入球した遊技球を貯留し、且つ、該貯留した遊技球を複数の振分口のうちいずれか１つの振分口に振り分けて前記遊技球演出空間に誘導する振分駆動装置と、
を備え、
前記大入賞口開閉装置は、少なくとも、
開閉部材を開閉動作させて前記大入賞口に遊技球が入球可能な開放状態又は入球困難な閉鎖状態にする大入賞口開閉ソレノイドと、
前記大入賞口に遊技球が入球したことを検出するカウントセンサと、
を備え、
前記振分駆動装置は、少なくとも、
前記カウントセンサで検出された遊技球を貯留する貯留通路と、
該貯留通路で貯留されなかった遊技球を前記遊技領域内に戻すことなく外部に排出する排出通路と、
前記貯留通路に遊技球が侵入したことを検出する侵入検出センサと、
前記貯留通路に貯留された遊技球を前記複数の振分口のうちいずれか１つの振分口に振り分けるために、回転方向の切り替えを制御して前記遊技球演出空間に誘導する振分モータと、
を備えることを特徴とする遊技機。
【請求項２】
前記振分駆動装置は、前記貯留通路に貯留された遊技球を前記複数の振分口のうちいずれか１つの振分口に振り分ける際に、前記演出表示装置に表示する演出画像に対応する振分口に振り分けることを特徴とする請求項１に記載の遊技機。
【請求項３】
前記貯留通路は、少なくとも２球の遊技球を貯留可能に構成され、
前記侵入検出センサは、前記貯留通路に貯留されている遊技球を検出可能に配置され、
前記振分駆動装置は、前記カウントセンサにより前記大入賞口に遊技球が入球したことを検出したあと、該入球した遊技球が前記貯留通路で貯留されずに前記排出通路を通って排出された場合であっても、前記貯留通路にすでに貯留された遊技球を前記複数の振分口のうちいずれか１つの振分口に振り分けることを特徴とする請求項１又は２に記載の遊技機。
【手続補正２】
【補正対象書類名】明細書
【補正対象項目名】００２０
【補正方法】変更
【補正の内容】
【００２０】
本発明の請求項１においては、パチンコ島設備の温度上昇の抑制に寄与することができる。請求項２においては、遊技者の遊技の低下を抑制することができる。請求項３においては、遊技者が大入賞口に遊技球を入球させて貯留通路に貯留されなくても、振分駆動装置がすでに貯留された遊技球を用いて振分口から遊技球演出空間に誘導することができ、遊技者に不安感を与えない。
【手続補正書】
【提出日】平成21年11月4日(2009.11.4)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技盤の遊技領域に設けられ、前記遊技領域に向けて打ち込まれた遊技球を受け入れ困難な閉状態と当該閉状態よりも遊技球を受け入れ容易な開状態との間で開閉動作可能な開閉装置と、
前記遊技領域の略中央部に配置され、所定の絵画像が表示される画像表示装置と、
前記遊技領域に設けられる始動口と、
前記始動口への遊技球の入球があったか否かの判断を行う始動判断手段と、
前記始動判断手段により前記始動口への遊技球の入球があった旨判断されることに基づいて特別当たりについての抽選処理を行うとともに、該抽選処理に際しては、当該抽選処理を一旦保留の状態とする抽選手段と、
前記抽選手段による抽選処理の結果、前記特別当たりが当選されたとき、前記開閉装置が開閉動作される所定の利益を遊技者に付与する利益付与手段と、
前記抽選手段による抽選処理の結果を、前記画像表示装置に現れる図柄の変動表示によって遊技者に教示する表示制御手段と、を備え、
前記表示制御手段は、
前記図柄の変動表示の停止時に未だ保留の状態とされている前記抽選処理があるとき、当該停止された図柄の変動表示の後に、前記保留の状態とされている前記抽選処理の結果に応じた図柄の変動表示を続けて行う保留変動制御手段と、
前記図柄の変動表示の停止時に未だ保留の状態とされている前記抽選処理があるにもかかわらず、該抽選処理の結果に応じた図柄の変動表示を当該停止された図柄の変動表示に続けて行うことなく、前記図柄と異なる絵画像として予め定められている、遊技情報を含まない間接画像を所定の小休止時間だけ前記画像表示装置に表示させる変動小休止手段と、を備える
ことを特徴とする遊技機。
【請求項２】
前記所定の小休止時間の経過時に未だ保留の状態とされている前記抽選処理があるとき、該抽選処理の結果に応じた図柄の変動表示を前記変動小休止手段による前記間接画像の表示から切り替えて行う変動再開手段を備える
請求項１に記載の遊技機。
【請求項３】
前記抽選手段は、前記始動判断手段により前記始動口への遊技球の入球があった旨判断されることに基づいて乱数を取得し、該取得した乱数に基づいて前記特別当たりについての抽選処理を行うものである
請求項１または２に記載の遊技機。
【手続補正書】
【提出日】平成21年5月21日(2009.5.21)
【手続補正１】
【補正対象書類名】明細書
【補正対象項目名】０１０９
【補正方法】変更
【補正の内容】
【０１０９】
上記ＰＡＤＲパケットの宛先ＭＡＣアドレス（ＭＡＣ−ＤＡ９０１）は、ＧＷ（ＢＡＳ）２０ＬＰ−１のＭＡＣアドレス「00-00-00-22-22-01」となっており、ポート管理テーブル１５３には、上記ＭＡＣアドレスと対応して、ＧＷ（ＢＡＳ）２０ＬＰ−１との接続回線のポート番号「４」が記憶されている。従って、ＰＡＤＲパケットは、回線インタフェース１１−４を介して、ＧＷ（ＢＡＳ）２０ＬＰ−１に転送される（ＳＱ１１５）。
【手続補正２】
【補正対象書類名】明細書
【補正対象項目名】０１１６
【補正方法】変更
【補正の内容】
【０１１６】
ＰＰＰｏＥ転送フェーズＳＰ２において、ＧＷ（ＢＡＳ）２０ＬＰ−１は、ＧＷ選択装置１０Ｌ−１を介してＰＰＰｏＥ端末４０−２から受信したＰＰＰｏＥパケット(ＳＱ２００)をルータ２４にＩＰパケットに変換して転送する（ＳＱ２０１）。また、ルータ２４から受信したＩＰパケット（ＳＱ２０１）をＰＰＰｏＥパケットに変換して、ＧＷ選択装置１０Ｌ−１を介してＰＰＰｏＥ端末４０−２に転送する（ＳＱ２００）。また、ＧＷ（ＢＡＳ）２０ＬＰ−１は、周期的にKeepalive requestパケットを発行し（ＳＱ２１０）、端末からの応答パケット（Keepalive acknowledge）を受信することによって、ＰＰＰｏＥ端末４０−２の動作状態を確認する。
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
第１の電池（２０）と第２の電池（２０）とを充電するように動作可能な電池充電器（３０）であって、
制御器（１００）と、
前記第１の電池と前記第２の電池とを充電するように動作可能な充電回路とを備え、
前記第１の電池は第１の複数の電池セル（６０）を有し、前記第１の複数の電池セルはそれぞれがリチウムベースの化学的性質を有し、前記第１の電池は公称電圧範囲における第１の公称電圧を有し、
前記第２の電池は第２の複数の電池セルを有し、前記第２の複数の電池セルはそれぞれがリチウムベースの化学的性質を有し、前記第２の電池は第２の公称電圧を有し、前記第２の公称電圧は前記第１の公称電圧とは異なり前記公称電圧範囲の外にあることを特徴とする電池充電器。
【請求項２】
請求項１記載の電池充電器において、前記制御器は前記第１の電池における識別コンポーネントの値を識別するように動作可能であり、前記値は前記第１の公称電圧と前記公称電圧範囲との一方を示すことを特徴とする電池充電器。
【請求項３】
請求項２記載の電池充電器において、前記制御器は、前記識別コンポーネントの値を識別すると、充電機能のための電池特性閾値を選択するように動作可能であることを特徴とする電池充電器。
【請求項４】
請求項１記載の電池充電器において、前記制御器は前記第１の電池における化学的性質識別コンポーネントの値を識別するように動作可能であり、前記値は前記第１の電池のリチウムベースの化学的性質を示すことを特徴とする電池充電器。
【請求項５】
請求項１記載の電池充電器において、少なくとも１つの端子（９０）を更に備えており、前記制御器は、前記第１の電池が前記少なくとも１つの端子に電気的に接続されると、前記第１の複数のリチウムベースの電池セルの総数を識別するように動作可能であり、前記第２の電池が前記少なくとも１つの端子に電気的に接続されると、前記第２の複数のリチウムベースの電池セルの総数を識別するように動作可能であることを特徴とする電池充電器。
【請求項６】
請求項５記載の電池充電器において、前記充電回路は、前記第１の電池が前記少なくとも１つの端子に電気的に接続されると、前記第１の複数のリチウムベースの電池セルの総数に少なくとも部分的に基づいて前記第１の電池を充電するように動作可能であり、前記第２の電池が前記少なくとも１つの端子に電気的に接続されると、前記第２の複数のリチウムベースの電池セルの総数に少なくとも部分的に基づいて前記第２の電池を充電するように動作可能であることを特徴とする電池充電器。
【請求項７】
請求項６記載の電池充電器において、前記制御器は、前記第１の複数のリチウムベースの電池セルの総数に少なくとも部分的に基づいて前記第１の電池の前記第１の公称電圧を決定するように動作可能であることを特徴とする電池充電器。
【請求項８】
請求項７記載の電池充電器において、前記制御器は、前記第２の複数のリチウムベースの電池セルの総数に少なくとも部分的に基づいて前記第２の電池の前記第２の公称電圧を決定するように動作可能であることを特徴とする電池充電器。
【請求項９】
請求項１記載の電池充電器において、前記第１の電池は充電状態を有する第１のリチウムベースの電池セルを含み、前記制御器は前記第１のリチウムベースの電池セルの充電状態を識別するように動作可能であり、前記充電回路は前記第１のリチウムベースの電池セルの充電状態に少なくとも部分的に基づいて前記第１の電池を充電するように動作可能であることを特徴とする電池充電器。
【請求項１０】
請求項１記載の電池充電器において、前記第１の複数の電池セルの総数は前記第２の複数の電池セルの総数と異なることを特徴とする電池充電器。
【手続補正書】
【提出日】平成21年2月27日(2009.2.27)
【手続補正１】
【補正対象書類名】明細書
【補正対象項目名】０００１
【補正方法】変更
【補正の内容】
【０００１】
本発明は、電気接続箱に関し、特に、車両に設けられた各種出力装置の制御を行う複数のＥＣＵが接続される電気接続箱に関する。
【手続補正２】
【補正対象書類名】明細書
【補正対象項目名】０００５
【補正方法】変更
【補正の内容】
【０００５】
よって本発明は、上述した現状に鑑み、挿着されたＥＣＵに対して、電源供給停止時にも設定内容を保護することができる電気接続箱を提供することを課題としている。
【手続補正３】
【補正対象書類名】明細書
【補正対象項目名】０００９
【補正方法】変更
【補正の内容】
【０００９】
請求項２記載の発明によれば、電源供給を停止したＥＣＵへの電源供給要件が発生したと判断される場合には、バックアップしたデータを該当ＥＣＵにリロードするようにしているので、システムの再構築も容易になる。
【手続補正４】
【補正対象書類名】明細書
【補正対象項目名】００１３
【補正方法】変更
【補正の内容】
【００１３】
請求項２記載の発明によれば、電源供給を停止したＥＣＵへの電源供給要件が発生したと判断される場合には、バックアップしたデータを該当ＥＣＵにリロードするようにしているので、システムの再構築も容易になる。
【手続補正５】
【補正対象書類名】明細書
【補正対象項目名】００５９
【補正方法】変更
【補正の内容】
【００５９】
以上説明したように、本発明によれば、挿着されたＥＣＵに対して、電源供給停止時にも設定内容を保護することができる電気接続箱を提供することができる。
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
第１の電動工具の電池（２０）と第２の電動工具の電池（２０）とを充電するように動作可能な電池充電器（３０）であって、
制御器（１００）と、
前記第１の電動工具の電池に充電電流をパルス・モードで提供するように動作可能な充電回路（９５）とを備え、
前記充電回路は、更に、前記第２の電動工具の電池に充電電流を提供するように動作可能であり、
前記第１の電動工具の電池はリチウムベースの化学的性質を有し、
前記第２の電動工具の電池はリチウムベースの化学的性質とは別の化学的性質を有することを特徴とする電池充電器。
【請求項２】
請求項１記載の電池充電器において、前記制御器は前記第１の電動工具の電池のリチウムベースの化学的性質を識別するように動作可能であることを特徴とする電池充電器。
【請求項３】
請求項１記載の電池充電器において、前記制御器は、前記充電回路を制御して、第１の充電アルゴリズムによって前記第１の電動工具の電池に充電電流を供給し、第２の充電アルゴリズムによって前記第２の電動工具の電池に充電電流を供給するように動作可能であることを特徴とする電池充電器。
【請求項４】
請求項１記載の電池充電器において、前記充電回路は前記制御器を含むことを特徴とする電池充電器。
【請求項５】
請求項１記載の電池充電器において、前記第２の電動工具の電池の化学的性質はニッケルカドミウムであることを特徴とする電池充電器。
【請求項６】
請求項１記載の電池充電器において、前記第２の電動工具の電池の化学的性質はニッケル水素であることを特徴とする電池充電器。
【請求項７】
請求項１記載の電池充電器において、前記第１の電動工具の電池と前記第２の電動工具の電池との一方は手持ち型の電動工具に給電するように構成されていることを特徴とする電池充電器。
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
生の唐辛子から種子を取り除いた唐辛子材料を用意する工程と、
前記唐辛子材料を裁断し裁断唐辛子を得る工程と、
前記裁断唐辛子の重量比１０に対して、重量比５〜１５の米糀、重量比５〜１５の塩を用意する工程と、
前記米糀をすりつぶしたものに塩を混合し混合物を得る工程と、
前記混合物を低温発酵熟成し熟成混合物を得る工程と、
前記裁断唐辛子の重量比１０に対して、重量比５〜１５の裁断柑橘類果実皮を用意し、用意した裁断柑橘類果実皮と前記熟成混合物とを混ぜ合わせ、柑橘類果実入り混合物を得る工程と、
前記柑橘類果実入り混合物を低温で仕上げ発酵熟成させる工程とを含む香辛調味料の製造方法。
【請求項２】
植物油をさらに添加する請求項１記載の香辛調味料の製造方法。
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
算術符号化処理において現行シンボルの出現値により選択される数直線上の領域のサイズ、領域の下端値、及び未出力ビット数を入力し正規化処理を行う正規化処理装置であって、
前記領域のサイズが設定値以上となるシフト量を算出するシフト量算出手段と、
前記シフト量に基づいて前記領域のサイズ及び前記領域の下端値にシフト処理を施すシフト手段と、
前記未出力ビット数及び前記領域の下端値を用いて出力ビット列のプレフィックスを算出するプレフィックス生成手段と、
前記領域の下端値を用いて出力ビット列のサフィックスを算出するサフィックス生成手段と、
前記未出力ビット数及び前記領域の下端値及び前記シフト量を用いて未出力ビット数を算出する未出力ビット算出手段と、
前記シフト量及び前記未出力ビット数を用いて、前記プレフィックスと前記サフィックスを結合して出力するビット列結合手段とを備えることを特徴とする正規化処理装置。
【請求項２】
出力ビットが最初の出力ビットか否かを示す先頭ビットフラグを更に入力し、前記未出力ビット算出手段は、前記領域の下端値及び前記シフト量から前記先頭ビットフラグを算出することを特徴とする請求項１に記載の正規化処理装置。
【請求項３】
前記シフト量算出手段は、前記領域のサイズを２進数で表現した際に値が１となる最もＭＳＢに近いビットの位置を算出するデコード手段を有することを特徴とする請求項１又は請求項２に記載の正規化処理装置。
【請求項４】
前記未出力ビット算出手段は、前記領域の下端値を２進数で表現した際に値が０となる最もＬＳＢに近いビットの位置を算出するデコード手段を有することを特徴とする請求項１〜３のいずれか１項に記載の正規化処理装置。
【請求項５】
前記プレフィックス生成手段は、前記領域の下端値の最上位ビットと、それに続く未出力ビット数分のビットをプレフィックスとして算出することを特徴とする請求項１〜４のいずれか１項に記載の正規化処理装置。
【請求項６】
前記サフィックス生成手段は、前記領域の下端値のビット列の一部をサフィックスとして出力することを特徴とする請求項１〜５のいずれか１項に記載の正規化処理装置。
【請求項７】
前記ビット列結合手段は、前記未出力ビット数を用いて算出されたプレフィックス長を用いて前記プレフィックスと前記サフィックスを結合することを特徴とする請求項１〜６のいずれか１項に記載の正規化処理装置。
【請求項８】
前記シフト量及び前記未出力ビット数を用いて出力ビット数を算出する算出手段を更に備え、
前記ビット列結合手段は、前記プレフィックスと前記サフィックスが結合されたビット列から、前記出力ビット数分を出力することを特徴とする請求項１〜７のいずれか１項に記載の正規化処理装置。
【手続補正２】
【補正対象書類名】明細書
【補正対象項目名】００２５
【補正方法】変更
【補正の内容】
【００２５】
本発明の正規化処理装置は、算術符号化処理において現行シンボルの出現値により選択される数直線上の領域のサイズ、領域の下端値、及び未出力ビット数を入力し正規化処理を行う正規化処理装置であって、前記領域のサイズが設定値以上となるシフト量を算出するシフト量算出手段と、前記シフト量に基づいて前記領域のサイズ及び前記領域の下端値にシフト処理を施すシフト手段と、前記未出力ビット数及び前記領域の下端値を用いて出力ビット列のプレフィックスを算出するプレフィックス生成手段と、前記領域の下端値を用いて出力ビット列のサフィックスを算出するサフィックス生成手段と、前記未出力ビット数及び前記領域の下端値及び前記シフト量を用いて未出力ビット数を算出する未出力ビット算出手段と、前記シフト量及び前記未出力ビット数を用いて、前記プレフィックスと前記サフィックスを結合して出力するビット列結合手段とを備えることを特徴とする。
【手続補正３】
【補正対象書類名】明細書
【補正対象項目名】００２８
【補正方法】変更
【補正の内容】
【００２８】
正規化処理装置１０７には数直線上での範囲として９ビットの信号codlRange（領域のサイズ）、その範囲の最小の座標として１０ビットの信号codlLow（領域の下端値）、未出力ビット数として十分に大きなビット数の信号bitsOutStanding、出力ビットがスライスの最初の出力ビットか否かを示す1ビットの信号firstBitFlag（先頭ビットフラグ）が入力される。
【手続補正４】
【補正対象書類名】明細書
【補正対象項目名】００３０
【補正方法】変更
【補正の内容】
【００３０】
シフト手段１０２は、シフト量算出手段１０１で算出されたシフト量だけcodlRangeおよびcodlLowを左シフト（シフト処理）して出力するバレルシフタ回路である。
【手続補正５】
【補正対象書類名】明細書
【補正対象項目名】００３５
【補正方法】変更
【補正の内容】
【００３５】
次にcodlRangeおよびシフト量Nの算出について説明する。図２のステップＳ２０１でcodlRangeの値が0x100以上（設定値以上）と判定されるまで、codlRangeの値を左シフトするので、codlRangeを２進数で表現した際に値が１となるビットの最大ビット位置をXとすると、シフト量は以下の式で表される。
N=Max(8-X,0)
【手続補正６】
【補正対象書類名】明細書
【補正対象項目名】００７３
【補正方法】変更
【補正の内容】
【００７３】
以上説明してきたように本発明は、codlRangeおよびcodlLow, bitsOutStandingおよびfirstBitFlagからシフト量N、未出力ビット加算数M、プレフィックス、サフィックスを算出する。これにより、繰り返し処理を行わずにcodlRangeおよびcodlLow, bitsOutStandingおよびfirstBitFlagおよび出力ビット列を算出することが出来る。即ち、算術符号化（算術符号化処理）における正規化処理を一括して高速に行うことが可能になる。
【手続補正書】
【提出日】平成21年10月30日(2009.10.30)
【手続補正１】
【補正対象書類名】特許請求の範囲
【補正対象項目名】請求項３
【補正方法】変更
【補正の内容】
【請求項３】
前記算術符号化手段は、前記コンテキストモデルを用いて算術符号化処理を行う第１の算術符号化手段と、前記コンテキストモデルを用いずに算術符号化処理を行う第２の算術符号化手段とを含むことを特徴とする請求項２に記載のエントロピー符号化装置。
【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
監視エリアを撮影して、上記監視エリアの映像を出力する監視カメラと、上記監視カメラを収納し、上記カメラの撮影方向に開口部を有するカメラケースと、上記カメラケースの開口部を覆うように取り付けられ、風圧を受けると変形して振動するシート部材とを備えた監視カメラ装置。
【請求項２】
監視エリアを撮影して、上記監視エリアの映像を出力する監視カメラと、上記監視カメラを収納し、上記カメラの撮影方向に開口部を有するカメラケースと、上記カメラケースの開口部を覆うように取り付けられ、付着物の自重によって変形するシート部材とを備えた監視カメラ装置。
【請求項３】
シート部材がシリコーンゴム膜であることを特徴とする請求項１または請求項２記載の監視カメラ装置。
【請求項４】
カメラケースの設置角度を変えるケース駆動機構を備えたことを特徴とする請求項１から請求項３のうちのいずれか１項記載の監視カメラ装置。
【請求項５】
金属フレームがシリコーンゴム膜に加硫接着されていることを特徴とする請求項３記載の監視カメラ装置。
【請求項６】
金属フレームが分割されていることを特徴とする請求項５記載の監視カメラ装置。
【請求項７】
外気温が第１の基準温度より低下すると発熱し、外気温が第２の基準温度より上昇すると発熱を止める発熱体と、
シート部材と密着されており、上記発熱体による温度上昇又は温度低下に伴って変形するバイメタルとを備えたことを特徴とする請求項１から請求項６のうちのいずれか１項記載の監視カメラ装置。
【請求項８】
シート部材は監視カメラの撮影方向に開口部を有することを特徴とする請求項１または請求項２記載の監視カメラ装置。
【手続補正２】
【補正対象書類名】明細書
【補正対象項目名】０００６
【補正方法】変更
【補正の内容】
【０００６】
この発明に係る監視カメラ装置は、監視エリアを撮影する監視カメラを収納し、上記カメラの撮影方向に開口部を有するカメラケースの周囲に、上記カメラケースの開口部を覆うように取り付けられ、風圧を受けると変形して振動するシート部材を取り付けるようにしたものである。
【手続補正３】
【補正対象書類名】明細書
【補正対象項目名】０００７
【補正方法】変更
【補正の内容】
【０００７】
この発明によれば、監視エリアを撮影する監視カメラを収納し、上記カメラの撮影方向に開口部を有するカメラケースの周囲に、上記カメラケースの開口部を覆うように取り付けられ、風圧を受けると変形して振動するシート部材を取り付けるように構成したので、風速が高い、気温が低い、降雪量が多いなどの環境下でも、前面パネルやワイパにおける雪氷の付着を軽減することができるとともに、氷やツララの生成を軽減することができる効果がある。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
制御対象となる家電機器に対して共通ネットワークを介し、制御指令、および動作状態等の情報取得を行う外部制御装置と、制御対象となる家電機器と通信接続され、家電機器との制御情報と共通ネットワーク上での制御情報との相互変換処理を司る機器アダプタと、機器アダプタとの通信手段を介して検知した制御指令に基づいて本体制御に適用させる機能、及び本体の動作状態を通知する機能を有する家電機器とから成る家電機器通信制御システムにおいて、
前記機器アダプタは、前記相互変換処理において家電機器の主機能に対する第１相互変換手段を予め１つ以上記憶する第１相互変換記憶手段と、接続された家電機器を識別する接続機器認識手段と、該接続機器認識手段の結果から第１相互変換記憶手段より第１相互変換手段を選択する第１相互変換選択手段と、家電機器に対して付加機能制御情報を取得する付加機能取得手段と、該付加機能取得手段の結果に基づいて前記相互変換処理を実行する第２相互変換手段とを有し、
前記家電機器は、機器アダプタからの付加機能取得要求の有無を検知する付加機能取得要求検知手段と、該付加機能取得要求検知手段より要求を検知した場合には、予め保持した付加機能制御情報を機器アダプタへ伝達する付加機能制御情報伝達手段とを有することを特徴とする家電機器通信制御システム。
【請求項２】
前記家電機器は、前記付加機能取得要求検知手段により要求検知されるまで、機器アダプタからの制御指令、及び本体動作状態の通知処理を無効とすることを特徴とした請求項１に記載の家電機器通信制御システム。
【請求項３】
前記家電機器は、前記付加機能取得要求検知手段により要求検知された場合、付加機能識別情報を生成して記憶し、付加機能制御情報の伝達時に前記付加機能識別情報も併せて伝達することを特徴とする請求項１に記載の家電機器通信制御システム。
【請求項４】
前記付加機能制御情報は、家電機器の型式の識別情報を含み、前記外部制御装置は、該家電機器識別情報を取得し、家電機器識別情報毎に予め定義された付加機能に対する操作情報を別途ネットワーク上から取得し、操作画面処理に反映させることを特徴とする請求項１〜３のいずれかに記載の家電機器通信制御システム。
【手続補正書】
【提出日】平成21年10月20日(2009.10.20)
【手続補正１】
【補正対象書類名】特許請求の範囲
【補正対象項目名】全文
【補正方法】変更
【補正の内容】
【特許請求の範囲】
【請求項１】
撮影画像信号を出力する撮像手段と、
前記撮影画像信号に含まれるフレームを記憶する画像メモリであって、第１の更新間隔に従って記憶されるフレームを順次更新する第１の画像メモリと、
前記第１の画像メモリに記憶されたフレームに時間的に連続するフレームを記憶する画像メモリであって、前記第１の更新間隔に従って記憶されるフレームを順次更新する第２の画像メモリと、
前記第１の更新間隔よりも短い第２の更新間隔で入力される画像信号を、フレーム内符号化又はフレーム間予測符号化によって圧縮符号化する符号化手段と、
前記第１の画像メモリ及び前記第２の画像メモリに記憶された連続する２フレームのうちのいずれか一方を選択し、選択したフレームの画像信号を前記第２の更新間隔に従って前記符号化手段に供給する画像選択手段と、
前記符号化手段でフレーム間予測符号化が行われるタイミングと、前記第１の更新間隔とに基づいて、前記画像選択手段の選択を制御する選択制御手段とを具備することを特徴とする撮像装置。
【請求項２】
撮影画像信号を出力する撮像手段と、
前記撮影画像信号に含まれるフレームを記憶する画像メモリであって、第１の更新間隔に従って記憶されるフレームを順次更新する第１の画像メモリと、
前記第１の画像メモリに記憶されたフレームに時間的に連続するフレームを記憶する画像メモリであって、前記第１の更新間隔に従って記憶されるフレームを順次更新する第２の画像メモリと、
前記第１の更新間隔よりも短い第２の更新間隔で入力される画像信号を、フレーム内符号化又はフレーム間予測符号化によって圧縮符号化する符号化手段と、
前記第１の画像メモリ及び前記第２の画像メモリに記憶された連続する２フレームの画像信号を合成し、合成画像信号を前記第２の更新間隔に従って前記符号化手段に供給する画像合成手段と、
前記符号化手段でフレーム間予測符号化が行われるタイミングと、前記第１の更新間隔とに基づいて、前記画像合成手段における合成比率を制御する画像合成制御手段とを具備することを特徴とする撮像装置。
【手続補正２】
【補正対象書類名】明細書
【補正対象項目名】００１５
【補正方法】変更
【補正の内容】
【００１５】
本発明に係る撮像装置は、撮影画像信号を出力する撮像手段と、前記撮影画像信号に含まれるフレームを記憶する画像メモリであって、第１の更新間隔に従って記憶されるフレームを順次更新する第１の画像メモリと、前記第１の画像メモリに記憶されたフレームに時間的に連続するフレームを記憶する画像メモリであって、前記第１の更新間隔に従って記憶されるフレームを順次更新する第２の画像メモリと、前記第１の更新間隔よりも短い第２の更新間隔で入力される画像信号を、フレーム内符号化又はフレーム間予測符号化によって圧縮符号化する符号化手段と、前記第１の画像メモリ及び前記第２の画像メモリに記憶された連続する２フレームのうちのいずれか一方を選択し、選択したフレームの画像信号を前記第２の更新間隔に従って前記符号化手段に供給する画像選択手段と、前記符号化手段でフレーム間予測符号化が行われるタイミングと、前記第１の更新間隔とに基づいて、前記画像選択手段の選択を制御する選択制御手段とを具備することを特徴とする。
【手続補正３】
【補正対象書類名】明細書
【補正対象項目名】００１６
【補正方法】変更
【補正の内容】
【００１６】
本発明に係る撮像装置は、撮影画像信号を出力する撮像手段と、前記撮影画像信号に含まれるフレームを記憶する画像メモリであって、第１の更新間隔に従って記憶されるフレームを順次更新する第１の画像メモリと、前記第１の画像メモリに記憶されたフレームに時間的に連続するフレームを記憶する画像メモリであって、前記第１の更新間隔に従って記憶されるフレームを順次更新する第２の画像メモリと、前記第１の更新間隔よりも短い第２の更新間隔で入力される画像信号を、フレーム内符号化又はフレーム間予測符号化によって圧縮符号化する符号化手段と、前記第１の画像メモリ及び前記第２の画像メモリに記憶された連続する２フレームの画像信号を合成し、合成画像信号を前記第２の更新間隔に従って前記符号化手段に供給する画像合成手段と、前記符号化手段でフレーム間予測符号化が行われるタイミングと、前記第１の更新間隔とに基づいて、前記画像合成手段における合成比率を制御する画像合成制御手段とを具備することを特徴とする
【手続補正４】
【補正対象書類名】明細書
【補正対象項目名】００２４
【補正方法】変更
【補正の内容】
【００２４】
カメラ信号処理装置２８は、画像合成装置２６からの合成画像信号に露出制御及び色バランス調整等の周知のカメラ信号処理を実施し、処理結果を符号化器３０に出力する。
【手続補正５】
【補正対象書類名】明細書
【補正対象項目名】００２８
【補正方法】変更
【補正の内容】
【００２８】
図２に示すフローでは、先ず、合成対象画像、即ち画像メモリ２２又は画像メモリ２４に格納されている画像が、Ｉピクチャとして符号化される画像であるかを判定する（Ｓ１）。Ｉピクチャが含まれる場合（Ｓ１）、合成係数ｘに１を設定し、合成係数ｙに０を設定する（Ｓ２）。画像メモリ２２，２４に格納される画像が何れもＩピクチャでない場合（Ｓ１）、画像メモリ２２又は画像メモリ２４に格納されている画像と、その直前の予測参照画像との間に画像更新タイミングが入っているどうかを調べる（Ｓ３）。画像更新タイミングが入っていない場合（Ｓ３）、合成係数ｘに１を設定し、合成係数ｙに０を設定する（Ｓ２）。即ち、画像合成装置２６は、画像メモリ２２の画像を選択する。画像更新タイミングが入っている場合（Ｓ３）、合成係数ｘに０を設定し、合成係数ｙに１を設定する（Ｓ４）。即ち、画像合成装置２６は、画像メモリ２４の画像を選択する。
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
コンテンツを送信するセンタ装置と伝送路を介して接続され、前記センタ装置から暗号化されたコンテンツを受信する受信装置における前記受信したコンテンツを復号するコンテンツ復号鍵抽出方法において、
非秘匿記憶領域に暗号化された情報の復号処理を実行する復号処理ソフトウェアを格納しており、秘匿記憶領域に視聴者毎の契約情報を示すEMMの復号鍵であるKmを格納しており、
暗号化されたコンテンツ、暗号化された前記コンテンツを復号する復号鍵であるKsを含み暗号化されたECM、および前記ECMを復号する復号鍵であるKｗを含み暗号化された前記EMMを受信した場合に、
秘匿CPU部にて、前記EMMを前記Kmおよび前記復号処理ソフトウェアで復号化し、
前記EMMから、前記Kｗを抽出し、
抽出したKwを、前記秘匿記憶領域に格納し、
前記ECMを、前記秘匿CPU部において、前記Ｋｗおよび前記復号処理ソフトウェアで復号化し、前記Ksを抽出することを特徴とするコンテンツ復号鍵抽出方法。
【請求項２】
請求項１に記載のコンテンツ復号鍵抽出方法において、
前記非秘匿記憶領域には、前記復号処理ソフトウェアおよび前記復号処理ソフトウェアのハッシュ値が格納されており、
前記秘匿CPU部において、前記復号処理ソフトウェアのハッシュ値を算出し、
格納されているハッシュ値と、算出されたハッシュ値を比較することにより、前記復号処理ソフトウェアが改竄されたか否かを判定することを特徴とするコンテンツ復号鍵抽出方法。
【請求項３】
請求項2に記載のコンテンツ復号鍵抽出方法において、
前記秘匿記憶領域に、ハッシュ値判定処理ソフトウェアが格納されており、
前記秘匿CPU部は、前記EMM及び/または前記ECMを受信した場合に、前記秘匿記憶領域から、前記ハッシュ値判定処理ソフトウェアを読み出し、
前記ハッシュ値判定処理ソフトウェアで、前記復号処理ソフトウェアのハッシュ値の算出と、前記復号処理ソフトウェアが改竄されたか否かを判断し、
改竄されていないと判断された場合に、前記EMM及び/または前記ECMの復号化を行うことを特徴とするコンテンツ復号鍵抽出方法。
【請求項４】
コンテンツを送信するセンタ装置と伝送路を介して接続され、前記センタ装置から暗号化されたコンテンツを受信するコンテンツ受信装置において、
暗号化された情報の復号処理を実行する復号処理ソフトウェアを格納する非秘匿記憶領域と、
視聴者毎の契約情報を示すEMMを復号する復号鍵Km、およびECMを復号する復号鍵Kwを格納する秘匿記憶領域と、
暗号化されたコンテンツ、暗号化された前記コンテンツを復号する復号鍵Ksを含む暗号化された前記ECM、および暗号化された前記ECMを復号する復号鍵Kmを含む暗号化された前記EMMを受信する受信部と、
受信した前記EMMを前記Kｍおよび前記復号処理ソフトウェアで復号化し、前記EMMから、前記Kwを抽出し、抽出した前記Kwを、前記秘匿記憶領域に格納し、前記ECMを前記Kwおよび前記復号処理ソフトウェアで復号化し、前記Ksを抽出する秘匿CPU部とを具備することを特徴とするコンテンツ受信装置。
【請求項５】
請求項４に記載のコンテンツ受信装置において、
前記非秘匿記憶領域には、前記復号処理ソフトウェアおよび前記復号処理ソフトウェアのハッシュ値が格納されており、
前記秘匿CPU部において、前記復号処理ソフトウェアのハッシュ値を算出し、
格納されているハッシュ値と、算出されたハッシュ値を比較することにより、前記復号処理ソフトウェアが改竄されたか否かを判定することを特徴とするコンテンツ受信装置。
【手続補正書】
【提出日】平成21年10月6日(2009.10.6)
【手続補正１】
【補正対象書類名】明細書
【補正対象項目名】０００１
【補正方法】変更
【補正の内容】
【０００１】
本発明は、画像生成装置および記録媒体に関する。
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
固有の識別情報を格納した記憶部と、この識別情報を含む電波を発信する発信アンテナ部とを備えた電子タグを、遊技機内部又は背面部に設置された制御装置に備えるとともに、
遊技機前方から読取装置により前記識別情報を読取可能とすべく、前記発信アンテナ部からの電波を中継する中継アンテナを備えており、
前記中継アンテナは、前記発信アンテナ部の近傍に設置されて前記発信アンテナ部からの電波を中継する第１中継アンテナ部と、当該第１中継アンテナ部からの電波をさらに中継する第２中継アンテナ部とを備えており、
さらに、前後に貫通する貫通孔が形成されて当該貫通孔に遊技部品が設置されている遊技盤を備え、前記遊技部品を前記第２中継アンテナ部とし、または前記遊技部品に前記第２中継アンテナ部を設けたことを特徴とする遊技機。
【請求項２】
前記遊技部品用の配線と前記第２中継アンテナ部用の配線とが個別に設けられ、かつそれぞれの配線が束ねられた状態で前記制御装置側及び前記第１中継アンテナ部側へ延びていることを特徴とする請求項１に記載の遊技機。
【請求項３】
前記第２中継アンテナ部は前記遊技部品に設けられたものであることを特徴とする請求項２に記載の遊技機。
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
固有の識別情報を格納した記憶部と、この識別情報を含む電波を発信する発信アンテナ部とを備えた電子タグを、遊技機内部又は背面部に設置された制御装置に備えるとともに、
遊技機前方から読取装置により前記識別情報を読取可能とすべく、前記発信アンテナ部からの電波を中継する中継アンテナを備え、
前記中継アンテナはアース接続可能に設けられるとともに、前記中継アンテナをアース状態から非アース状態又は非アース状態からアース状態に切り替える切替手段を備えていることを特徴とする遊技機。
【請求項２】
前記切替手段は前記中継アンテナを前記アース状態から前記非アース状態に切り替えるものであることを特徴とする請求項１に記載の遊技機。
【請求項３】
発信装置から出力された信号を受信する受信部を遊技機前面部に設け、前記受信部が前記信号を受信した場合に前記切替手段が作動する構成としたことを特徴とする請求項２に記載の遊技機。
【請求項４】
所定周波数の信号を前記受信部が受信した場合に限り前記切替手段を作動させるための選択手段を設けたことを特徴とする請求項３に記載の遊技機。
【請求項５】
前記中継アンテナは、前記発信アンテナ部の近傍に設置されて前記発信アンテナ部からの電波を中継する第１中継アンテナ部と、当該第１中継アンテナ部からの電波をさらに中継する第２中継アンテナ部とを備えていることを特徴とする請求項３又は請求項４に記載の遊技機。
【請求項６】
前記第１中継アンテナ部は遊技機内部又は背面部に配置されるとともに、前記第２中継アンテナ部は前記遊技機前面部に配置され、第１中継アンテナ部と第２中継アンテナ部とが電気的に接続されていることを特徴とする請求項５に記載の遊技機。
【請求項７】
前記第２中継アンテナ部の近傍位置に前記受信部を配置したことを特徴とする請求項６に記載の遊技機。
【請求項８】
前記第２中継アンテナ部は、前記受信部と異なる周波数の電波を中継することを特徴とする請求項７に記載の遊技機。
【請求項９】
前記中継アンテナが電波を中継する場合に前記切替手段が作動する構成としたことを特徴とする請求項２に記載の遊技機。
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
固有の識別情報を格納した記憶部と、この識別情報を含む電波を発信する発信アンテナ部とを備えた電子タグを、遊技機内部又は背面部に設置された制御装置に備えるとともに、
遊技機前方から読取装置により前記識別情報を読取可能とすべく、前記発信アンテナ部からの電波を中継する中継アンテナを備えており、
前記中継アンテナは、前記発信アンテナ部の近傍に設置されて前記発信アンテナ部からの電波を中継する第１中継アンテナ部と、当該第１中継アンテナ部からの電波をさらに中継する第２中継アンテナ部とを備えており、
前記第２中継アンテナ部を、遊技部品が設置される遊技領域外に配置したことを特徴とする遊技機。
【請求項２】
前記第２中継アンテナ部を、証紙が貼付される証紙貼付領域に配置したことを特徴とする請求項１に記載の遊技機。
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
固有の識別情報を格納した記憶部と、この識別情報を含む電波を発信する発信アンテナ部とを備えた電子タグを、遊技機内部又は背面部に設置された制御装置に備えるとともに、前記電子タグを遊技機内部又は背面部に複数備えており、
遊技機前方から読取装置により前記識別情報を読取可能とすべく、前記各電子タグの各発信アンテナ部からの電波を中継する中継アンテナを備えていることを特徴とする遊技機。
【請求項２】
前記中継アンテナは、第１中継アンテナ部及び第２中継アンテナ部を有し、
遊技機内部又は背面部に設置される各電子タグに対応して前記第１中継アンテナ部がそれぞれ設けられているとともに、これら各第１中継アンテナ部が前記第２中継アンテナ部に接続されており、各第１中継アンテナ部と第２中継アンテナ部との間には各第１中継アンテナ部からの各電波を個別に又はまとめて第２中継アンテナ部に伝達する伝達手段を備え、当該伝達手段と第２中継アンテナ部との間の配線を各第１中継アンテナ部に共通の配線としたことを特徴とする請求項１に記載の遊技機。
【請求項３】
前記中継アンテナは、前記発信アンテナ部の近傍に設置されて前記発信アンテナ部からの電波を中継する第１中継アンテナ部と、当該第１中継アンテナ部からの電波をさらに中継する第２中継アンテナ部とを備え、
前記第２中継アンテナ部の近傍位置に、前記制御装置に設けられる電子タグとは別に、固有の識別情報を格納した記憶部とこの識別情報を含む電波を発信する発信アンテナ部とを備えた電子タグを配置したことを特徴とする請求項１に記載の遊技機。
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
固有の識別情報を格納した記憶部と、この識別情報を含む電波を発信する発信アンテナ部とを備えた電子タグを、遊技機内部又は背面部に設置された制御装置に備えるとともに、
遊技機前方から読取装置により前記識別情報を読取可能とすべく、前記発信アンテナ部からの電波を中継する中継アンテナを備えており、
前記中継アンテナは、前記発信アンテナ部の近傍に設置されて前記発信アンテナ部からの電波を中継する第１中継アンテナ部と、当該第１中継アンテナ部からの電波をさらに中継する第２中継アンテナ部とを備えており、
さらに、前後に貫通する貫通孔が形成されて当該貫通孔に遊技部品が設置されている遊技盤を備え、前記遊技部品を前記第２中継アンテナ部としまたは前記遊技部品に前記第２中継アンテナ部を設けるとともに、前記第１中継アンテナ部を前記制御装置内に設けたことを特徴とする遊技機。
【請求項２】
前記遊技部品に接続された配線と前記第２中継アンテナ部に接続された配線を一括して前記制御装置に接続したことを特徴とする請求項１に記載の遊技機。
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
固有の識別情報を格納した記憶部と、この識別情報を含む電波を発信する発信アンテナ部とを備えた電子タグを、遊技機内部又は背面部に設置された制御装置に備えるとともに、
遊技機前方から読取装置により前記識別情報を読取可能とすべく、前記発信アンテナ部からの電波を中継する中継アンテナを備えていることを特徴とする遊技機。
【請求項２】
前記中継アンテナは、前記発信アンテナ部の近傍に設置されて前記発信アンテナ部からの電波を中継する第１中継アンテナ部と、当該第１中継アンテナ部からの電波をさらに中継する第２中継アンテナ部とを備えていることを特徴とする請求項１に記載の遊技機。
【請求項３】
前記第１中継アンテナ部は遊技機内部又は背面部に配置されるとともに、前記第２中継アンテナ部は前記遊技機前面部に配置され、それら第１中継アンテナ部と第２中継アンテナ部とが電気的に接続されていることを特徴とする請求項２に記載の遊技機。
【請求項４】
前記制御装置を遊技機本体に対して回動可能に設け、前記第１中継アンテナ部を前記遊技機本体に設けたことを特徴とする請求項２又は請求項３に記載の遊技機。
【請求項５】
前記発信アンテナ部は電波を送受信可能な送受信アンテナ部であり、前記記憶部はＩＣチップに搭載されるものであり、
前記ＩＣチップは、前記送受信アンテナ部を介して所定周波数の電波を受信することにより、前記識別情報を含んだ電波を応答波として前記送受信アンテナ部を介して発信するものであることを特徴とする請求項１乃至請求項４のいずれか１つに記載の遊技機。
【請求項６】
前記送受信アンテナ部は前記所定周波数の電波を受信することにより電磁誘導による起電力を生じるものであり、前記ＩＣチップはこの起電力を電源として前記記憶部に記憶されている識別情報を呼び出して前記送受信アンテナ部から発信するものであることを特徴とする請求項５に記載の遊技機。
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
固有の識別情報を格納した記憶部とこの識別情報を含む電波を発信するアンテナ部とを備えた電子タグを、遊技機内部又は背面部に設置された制御装置に取り付けた遊技機であって、
前記アンテナ部から発信される電波を受信することで前記識別情報の読み取りを行うリーダ手段と、
遊技機内部又は背面部において前記リーダ手段を被包する被包手段とを備えたことを特徴とする遊技機。
【請求項２】
前記被包手段は、前記電子タグが取り付けられた制御装置又は当該制御装置とは別の制御装置の一部を構成し、制御基板を被包する基板ボックスであり、
当該基板ボックス内に前記リーダ手段を収容したことを特徴とする請求項１に記載の遊技機。
【請求項３】
前記リーダ手段を、前記識別情報の読み取り対象となる電子タグが取り付けられた制御装置とは別の制御装置の基板ボックスに収容したことを特徴とする請求項２に記載の遊技機。
【請求項４】
前記リーダ手段を収容する前記基板ボックスを透明性材料により成形するとともに、当該基板ボックスを有する制御装置を、制御基板の所定の板面が基板ボックスを通して目視可能なように遊技機内部又は背面部に設置し、
前記リーダ手段を、前記所定の板面側に設けたことを特徴とする請求項２又は３に記載の遊技機。
【請求項５】
前記リーダ手段を収容する前記基板ボックスは透明性材料により成形されており、さらに前記リーダ手段はハウジングを有するリーダ装置であり、
前記制御基板の板面には電子部品を実装しない非実装領域を設けるとともに、前記ハウジングが前記制御基板の板面において前記非実装領域とのみ対峙するように前記リーダ装置を配置したことを特徴とする請求項２乃至４のいずれか１に記載の遊技機。
【請求項６】
前記リーダ手段を基板ボックス内に有する制御装置は、
前記リーダ手段が読み取った識別情報を入力する入力手段と、
当該入力手段の入力結果に基づいて不正行為の有無を判定する判定手段と、
当該判定手段の判定結果に基づいて異常処理を実行する異常処理実行手段とを備えたことを特徴とする請求項２乃至５のいずれか１に記載の遊技機。
【請求項７】
第１電子タグを有する第１シール部材と、第１電子タグとは異なる識別情報が格納された第２電子タグを有する第２シール部材とを備えるとともに、
前記第１電子タグから識別情報を読み取る第１リーダ手段と、前記第２電子タグから識別情報を読み取る第２リーダ手段とを備え、
前記第１シール部材を複数ある制御装置のうちの第１制御装置の基板ボックスに貼り付けるとともに、前記第１リーダ手段を当該第１制御装置とは異なる第２制御装置の基板ボックスに収容し、
さらに、前記第２シール部材を前記第２制御装置の基板ボックスに貼り付けるとともに、前記第２リーダ手段を当該第２制御装置の基板ボックスとは異なる被包手段により被包したことを特徴とする請求項１乃至６のいずれか１に記載の遊技機。
【請求項８】
前記第２リーダ手段を前記第１制御装置の基板ボックスに収容したことを特徴とする請求項７に記載の遊技機。
【請求項９】
前記第１制御装置と前記第２制御装置とを所定方向に並設し、
これら各制御装置において相互に対峙する領域に前記第１電子タグ及び前記第２電子タグを配置するとともに、
前記第２制御装置において前記第１電子タグと対峙する領域に前記第１リーダ手段を配置し、前記第１制御装置において前記第２電子タグと対峙する領域に前記第２リーダ手段を配置したことを特徴とする請求項８に記載の遊技機。
【請求項１０】
前記各電子タグは、前記アンテナ部にて所定周波数の電波を受信することにより前記識別情報を含んだ電波を応答波として発信する構成であり、
前記第１電子タグの前記所定周波数と、前記第２電子タグの前記所定周波数とを異ならせたことを特徴とする請求項７乃至９のいずれか１に記載の遊技機。
【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
生体の心尖拍動と右室拍動と左房拍動のうちの少なくとも１種類の拍動としての心拍動あるいは上行大動脈拍動あるいは肺動脈（肺動脈幹と中枢側肺動脈の少なくとも一方を含む）拍動あるいは腹部大動脈拍動あるいは肝拍動のうちの少なくとも１つを圧力変化の測定結果として検出し記録することができる新規の生体反応記録装置であって、前記生体反応記録装置は、少なくとも１つの前記拍動の検出部位の動きを圧力変化として測定することができる圧力センサーと測定された信号等の増幅手段と測定されたデータを基に生体反応情報（以下、生体情報ともいう）を検出することができる演算処理部等のデータ処理手段と測定されたデータの少なくとも主要部分とデータ処理手段を用いて検出された生体情報あるいはデータ処理手段を用いて処理された情報あるいは処理途中の情報などのデータ（以下、データ処理手段を用いて検出された生体情報あるいはデータ処理手段を用いて処理された情報あるいは処理途中の情報などのデータを検出データともいう）のうちの少なくとも一方を記憶することができる記憶手段と表示手段を有しているとともに、前記圧力センサーは前記測定する１つの拍動に関して生体の近接する複数箇所の圧力をそれぞれ測定することができ、前記記憶手段は前記複数箇所の測定データの少なくとも主要部分と前記検出データの少なくとも一方を記憶することができることを特徴とする生体反応記録装置。
【請求項２】
請求項１に記載の生体反応記録装置において、前記生体反応記録装置が心電図測定センサーと心音図測定センサーを有していることを特徴とする生体反応記録装置。
【請求項３】
請求項１または２に記載の生体反応記録装置において、前記生体反応記録装置は前記測定データや検出データのような処理されたデータの極値を選択する手段と極値の周辺データを選択する手段を有していることを特徴とする生体反応記録装置。
【請求項４】
請求項１〜３のいずれか１項に記載の生体反応記録装置において、前記生体反応記録装置が拍動の振幅と振幅分布の少なくとも一方を検出して表示する手段を有していることを特徴とする生体反応記録装置。
【請求項５】
請求項１〜４のいずれか１項に記載の生体反応記録装置において、前記表示手段に生体の健康状態に関する診断情報を表示することができることを特徴とする生体反応記録装置。
【請求項６】
請求項１〜５のいずれか１項に記載の生体反応記録装置において、前記生体反応記録装置は他の装置との送受信を行うことができる装置であることを特徴とする生体反応記録装置。
【請求項７】
生体の心尖拍動と右室拍動と左房拍動のうちの少なくとも１種類の拍動としての心拍動あるいは上行大動脈拍動あるいは肺動脈（肺動脈幹と中枢側肺動脈の少なくとも一方を含む）拍動あるいは腹部大動脈拍動あるいは肝拍動のうちの少なくとも１つを圧力変化の測定結果として検出し記録することができる新規の生体反応記録方法であって、前記生体反応記録方法は、少なくとも１つの前記拍動検出部位の動きを被測定箇所の近傍の複数箇所における圧力変化として測定することができる圧力センサーを用いるとともに、少なくとも１つの前記拍動検出部位の動きの前記圧力センサーによって圧力変化として測定されたデータから生体反応情報（以下、生体情報ともいう）を検出する手段と、検出した生体情報を記憶する手段と、前記検出した生体情報に基づいた生体の健康状態の診断情報を表示する手段を用いることを特徴とする生体反応記録方法。